(57)【要約】【課題】接触荷重が低下せず、安定的な電気的導通が可能となる雌端子を提供する。【解決手段】雌端子１１の電気接触部１５が、底壁３１と、底壁３１の端子幅方向の両端から立ち上がる第１側壁３７及び第２側壁３９と、第１側壁３７に連続して折り曲げ加工されて底壁３１と対向するように雄端子挿入方向に延在されるバネ片と、第２側壁３９に連続して折り曲げ加工されてバネ片の外側に重ね合わせられる天壁４３と、天壁４３に連続して折り曲げ加工されて第１側壁３７の外側に重ね合わせられる箱開き防止片４５と、箱開き防止片４５に連続して折り曲げ加工されて第１側壁３７に穿設された受け穴４７に係止されるロック部４９と、を備える。【選択図】図１
2014241269.tif 000002
【特許請求の範囲】
【請求項１】
雄端子が挿入される箱形状の電気接触部が、
底壁と、
前記底壁の端子幅方向の両端から立ち上がる第１側壁及び第２側壁と、
前記第１側壁に連続して折り曲げ加工されて前記底壁と対向するように雄端子挿入方向に延在されるバネ片と、
前記第２側壁に連続して折り曲げ加工されて前記バネ片の外側に重ね合わせられる天壁と、
前記天壁に連続して折り曲げ加工されて前記第１側壁の外側に重ね合わせられる箱開き防止片と、
前記箱開き防止片に連続して折り曲げ形成されて前記第１側壁に穿設された受け穴に係止されるロック部と、
を備えることを特徴とする雌端子。
【請求項２】
前記バネ片が前記雄端子に当接して撓むときの支点となる凸部が、前記天壁から前記バネ片に向かって突出して形成され、
前記箱開き防止片及び前記受け穴が、前記バネ片の延在方向における前記凸部の位置と一致して配設されていることを特徴とする請求項１に記載の雌端子。
【請求項３】
前記箱開き防止片と前記ロック部の挟角が、鋭角であることを特徴とする請求項１又は２に記載の雌端子。
【発明の詳細な説明】
【技術分野】
【０００１】
本発明は、雌端子に関する。
【背景技術】
【０００２】
配線用のコード端部に取り付けられると共に、コネクタのハウジング内に抜け止め自在に挿入固定される接続端子が知られている（例えば、特許文献１等参照）。
図７に示す接続端子５０１は、その端子本体（電気接触部）５０３が金属製の板材を略四角筒状に折り曲げることにより長尺の箱形状に形成された雌型端子である。この端子本体５０３の上壁片５０５の前側には、図示しないコネクタのハウジング内へ挿入された時にその一部と係合して抜け止めとなるランス５０７が切り起こし形成されている。ランス５０７の自由端５０９の後方の端子本体５０３の上壁片５０５には、捲れ阻止部５１１が形成されている。捲れ阻止部５１１は、ランス５０７の自由端５０９の略全面に所定クリアランス隔てて相対向するように端子本体５０３の上壁片５０５の一部（図７中の右側壁５１３の一部）を更に上方に折り曲げて突出形成することにより構成されている。この捲れ阻止部５１１の下面中央は、端子本体５０３の左側壁片５１５のＬ字状に折り曲げられた起立片５１７の上面に載置されると共に、捲れ阻止部５１１の先端部５１９が左側壁片５１５の水平折曲部５２１に載置されることにより、捲れ阻止部５１１の下方への変形が阻止されるように構成されている。
【先行技術文献】
【特許文献】
【０００３】
【特許文献１】特開平１１−６７３２１号公報
【発明の概要】
【発明が解決しようとする課題】
【０００４】
しかしながら、上述した箱形状の端子本体５０３を備える接続端子５０１は、捲れ阻止部５１１の先端部５１９が左側壁片５１５の水平折曲部５２１に載置されており、捲れ阻止部５１１の下方への変形は阻止されているが、上壁片５０５や捲れ阻止部５１１の上方への変形を阻止することはできない。上壁片５０５や捲れ阻止部５１１が上方向へ変形すると、端子本体５０３の挿入空間５２３に配置されているバネ片（図示略）と、挿入空間５２３に挿入された雄端子（図示略）との接触荷重が低下し、安定的な電気的導通が達成されなくなる可能性がある。
【０００５】
本発明は上記状況に鑑みてなされたもので、その目的は、接触荷重が低下せず、安定的な電気的導通が可能となる雌端子を提供することにある。
【課題を解決するための手段】
【０００６】
本発明に係る上記目的は、下記構成により達成される。
（１）  雄端子が挿入される箱形状の電気接触部が、底壁と、前記底壁の端子幅方向の両端から立ち上がる第１側壁及び第２側壁と、前記第１側壁に連続して折り曲げ加工されて前記底壁と対向するように雄端子挿入方向に延在されるバネ片と、前記第２側壁に連続して折り曲げ加工されて前記バネ片の外側に重ね合わせられる天壁と、前記天壁に連続して折り曲げ加工されて前記第１側壁の外側に重ね合わせられる箱開き防止片と、前記箱開き防止片に連続して折り曲げ形成されて前記第１側壁に穿設された受け穴に係止されるロック部と、を備えることを特徴とする雌端子。
【０００７】
上記（１）の構成の雌端子によれば、電気接触部には、雄端子が挿入され、雄端子にはバネ片が弾性接触する。雄端子に弾性接触したバネ片の荷重は、バネ片の外側に重ね合わせられた天壁によって支持される。天壁は、バネ片から荷重を受けることで、折り曲げ先端側の天壁縁部が第１側壁から離れる方向に変形しようとする。即ち、箱形状の電気接触部の天壁が開こうとする。この際、天壁縁部から第１側壁の外側に重ね合わせられている箱開き防止片のロック部が、第１側壁の受け穴に挿入されて係止されているので、天壁は第１側壁から離れる方向の変形が阻止される。これにより、雌端子は、電気接触部の箱形状を維持する係合力が高められる。その結果、雄端子を受け入れても、電気接触部が開かなくなり、バネ片による十分な接触荷重が得られるようになる。
また、箱開き防止片が設けられた電気接触部は、雄端子挿入中心を通る仮想中心線を挟んで左右が非対称形状となるので、雌端子が収容される雌ハウジングの雌端子収容室も上記仮想中心線を挟んで左右が非対称形状となる。これにより、雌端子が雌ハウジングに非正規向きで挿入されたときの挿入を阻止する誤挿入防止効果も得ることができる。
【０００８】
（２）  上記（１）の構成の雌端子であって、前記バネ片が前記雄端子に当接して撓むときの支点となる凸部が、前記天壁から前記バネ片に向かって突出して形成され、前記箱開き防止片及び前記受け穴が、前記バネ片の延在方向における前記凸部の位置と一致して配設されていることを特徴とする雌端子。
【０００９】
上記（２）の構成の雌端子によれば、バネ片からの接触荷重が加わる天壁の凸部と、天壁の開きを阻止するロック部及び受け穴とが、雄端子挿入方向に直交する同一断面内に配置される。これにより、凸部と、ロック部及び受け穴とが、雄端子挿入方向にずれた位置に配置された場合の天壁のねじれ変形が防止され、天壁の固定がより確実となる。
【００１０】
（３）  上記（１）または（２）の構成の雌端子であって、前記箱開き防止片と前記ロック部の挟角が、鋭角であることを特徴とする雌端子。
【００１１】
上記（３）の構成の雌端子によれば、ロック部が箱開き防止片に対して鋭角となることで、天壁に開き方向の力が加わると、ロック部が受け穴に一層強く引っ掛かり、或いは一層深く挿入する方向の分力が作用するようになる。これにより、ロック部が受け穴から離脱し難くなり、天壁の固定がより確実となる。
【発明の効果】
【００１２】
本発明に係る雌端子によれば、接触荷重が低下せず、安定的な電気的導通が可能となる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】（ａ）は本発明の一実施形態に係る雌端子の上方からの斜視図、（ｂ）は（ａ）に示した雌端子の下方からの斜視図である。
【図２】（ａ）及び（ｂ）は図１に示した雌端子の側面図及び正面図である。
【図３】図２（ｂ）のＩＩＩ−ＩＩＩ断面矢視図である。
【図４】図２（ａ）のＩＶ−ＩＶ断面矢視図である。
【図５】図４の要部拡大図である。
【図６】図４に示した雌端子が雌ハウジング内に収容された状態を示す横断面図である。
【図７】（ａ）は従来の接続端子の一部分を切り欠いた斜視図、（ｂ）は（ａ）に示した接続端子のＸ−Ｘ断面矢視図である。
【発明を実施するための形態】
【００１５】
以下、本発明に係る実施形態を図面を参照して説明する。
図１〜図２に示すように、本発明の一実施形態に係る雌端子１１は、雄端子１３（図３参照）が挿入される箱形状の電気接触部１５と、電気接触部１５の後側に連設される芯線加締部１７（ワイヤーバレルとも称す）及び被覆加締部１９（インシュレーションバレルとも称す）と、を備える。これら電気接触部１５、芯線加締部１７及び被覆加締部１９は、導電性金属板をプレスにより所定形状で打ち抜いた単一の展開素板を、曲げ加工することにより、雌端子１１のそれぞれの部位として一体に形成される。
【００１６】
芯線加締部１７は、起立端が開いた一対の芯線加締片２１を有する。芯線加締片２１の対向する内面にはディンプル２３が形成されており、該ディンプル２３は図示しない芯線との導通接触性及び加締め強度を高める。また、芯線加締片２１の対向する内面の前側及び後側には、芯線の保持性を高めるセレーション２５が設けられている。
被覆加締部１９は、起立端が開いた一対の被覆加締片２７を有する。なお、本明細書中、雌端子１１は、雄端子１３が挿入される側（図３の左側）を前方、その反対側（図３の右側）を後方、芯線加締片２１及び被覆加締部１９が開いた側（図３の上側）を上方、その反対側（図３の下側）を下方として説明する。
【００１７】
電気接触部１５は、直方体状の略箱型に形成され、内方が雄端子１３の挿入空間２９となる。電気接触部１５の底壁３１には、ハウジングランス（図示略）と係止する端子係止突起３３及びランスホール３５が形成される。
【００１８】
箱形状の電気接触部１５は、底壁３１と、底壁３１の端子幅方向の両端から立ち上がる第１側壁３７及び第２側壁３９と、第１側壁３７に連続して折り曲げ加工されて底壁３１と対向するように雄端子挿入方向（図３の左右方向）に延在されるバネ片４１と、第２側壁３９に連続して折り曲げ加工されてバネ片４１の外側に重ね合わせられて上部開口６５（図４参照）を覆う天壁４３と、天壁４３に連続して折り曲げ加工されて第１側壁３７の外側に重ね合わせられる箱開き防止片４５と、箱開き防止片４５に連続して折り曲げ形成されて第１側壁３７に穿設された受け穴４７に係止されるロック部４９と、を備える。
【００１９】
本実施形態のバネ片４１は、第１側壁３７における後端側の延在方向一端部５１から第２側壁３９へ向けて直角に折り曲げ形成されるとともに、底壁３１と対向するように雄端子挿入方向に沿って端子前方に長尺に延在された片持ち梁状に構成されている。バネ片４１は、その自由端側の接触部４２において雄端子１３との接触荷重を発生させる。雌端子１１は、電気接触部１５の挿入空間２９に雄端子１３を受け入れ、バネ片４１を弾性接触させることにより、電気的接続が行われる。
受け穴４７は、箱開き防止片４５の先端に折り曲げ形成されたロック部４９に対応した位置で、第１側壁３７に穿設された矩形状の開口である。
ロック部４９は、第１側壁３７に穿設された受け穴４７の穴開口縁５３（図５参照）と当接することで、受け穴４７に係止される。
【００２０】
電気接触部１５の天壁４３には、図３に示すように、凸部５５が、挿入空間２９に向かって突出して形成されている。凸部５５は、バネ片４１が雄端子１３に当接して撓むときの支点となる。そして、箱開き防止片４５及び受け穴４７は、バネ片４１の延在方向（図３の左右方向）における凸部５５の位置と一致して配設されている。
【００２１】
なお、本実施形態に係る変形例として、ロック部４９は、箱開き防止片４５との挟角θ（図５参照）が鋭角となるようにして、箱開き防止片４５に対して曲げ加工されてもよい。この場合、受け穴４７は、ロック部４９を係止する穴内周面が、ロック部４９の挿入方向に沿って図５中で上向きとなる傾斜面で形成されることがより好ましい。この傾斜面は、ロック部４９と平行な傾斜とする。このような当接部が傾斜したロック部４９及び受け穴４７とすることにより、箱開き防止片４５に開き方向の力Ｆが作用したときに、ロック部４９を受け穴４７から離脱し難くできる。従って、天壁４３の固定がより確実となる。
【００２２】
本実施形態の雌端子１１は、図４に示すように、天壁４３に連続して第１側壁３７の外側に重ね合わせるようにして箱開き防止片４５が折り曲げ形成される。このため、雄端子挿入中心を通る仮想中心線５９を挟んで左右が非対称の形状となる。このため、雌端子１１が収容され雌ハウジング６１の雌端子収容室６３も仮想中心線５９を挟んで左右が非対称となる。
【００２３】
次に、上記構成を有する雌端子１１の作用を説明する。
本実施形態に係る雌端子１１によれば、電気接触部１５の挿入空間２９には、雄端子１３が挿入され、雄端子１３にはバネ片４１が弾性接触する。雄端子１３に弾性接触したバネ片４１の荷重は、バネ片４１の外側に重ね合わせられた天壁４３によって支持される。天壁４３は、バネ片４１から荷重を受けることで、折り曲げ先端側の天壁縁部６７（図５参照）が第１側壁３７から離れる方向（浮き上がる方向）に変形しようとする。即ち、箱形状の電気接触部１５の天壁４３が開こうとする。
【００２４】
この際、天壁縁部６７から第１側壁３７の外側に重ね合わせられている箱開き防止片４５のロック部４９が、第１側壁３７の受け穴４７に挿入されて係止されているので、天壁４３の第１側壁３７から離れる方向の変形が阻止される。これにより、雌端子１１は、電気接触部１５の箱形状を維持する係合力が高められている。
【００２５】
その結果、雄端子１３を受け入れても、電気接触部１５が開かなくなり、バネ片４１による十分な接触荷重が得られるようになる。また、雌端子１１では、一般的な曲げ加工のみで、電気接触部１５の箱形状を維持する係合力を高めることができる。
【００２６】
また、箱開き防止片４５が設けられた電気接触部１５は、図６に示すように、雄端子挿入中心を通る仮想中心線５９を挟んで左右が非対称形状となるので、雌端子１１が収容される雌ハウジング６１の雌端子収容室６３も仮想中心線５９を挟んで左右が非対称形状となる。これにより、雌端子１１が雌ハウジング６１に非正規向きで挿入されたときの挿入を阻止する誤挿入防止効果も得ることができる。
【００２７】
従って、本実施形態に係る雌端子１１によれば、接触荷重が低下せず、安定的な電気的導通が可能となる。
なお、本発明に係る雌端子は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００２８】
１１…雌端子
１３…雄端子
１５…電気接触部
３１…底壁
３７…第１側壁
３９…第２側壁
４１…バネ片
４３…天壁
４５…箱開き防止片
４７…受け穴
４９…ロック部
５５…凸部
【図１】
2014241269.tif 000003
【図２】
2014241269.tif 000004
【図３】
2014241269.tif 000005
【図４】
2014241269.tif 000006
【図５】
2014241269.tif 000007
【図６】
2014241269.tif 000008
【図７】
2014241269.tif 000009